(57)【特許請求の範囲】
【請求項１】
ＩＤタグとそのダミーチップとを交換可能に収納できる収納用陥凹部が裏面側に形成されたキャップを蓋体本体に固定可能とした蓋体のＩＤタグ取り付け構造であって、前記収納用陥凹部にダミーチップが収納されている状態では、前記キャップ及び前記ダミーチップは締結具により蓋体本体表面に固定され、前記収納用陥凹部にＩＤタグが収納されている状態では、前記キャップ及び前記ＩＤタグは、接着により蓋体本体表面に固定されてなる蓋体のＩＤタグ取り付け構造。
【請求項２】
締結具は、キャップ及びダミーチップにそれぞれ形成した貫通孔を挿通するものである請求項１に記載の蓋体のＩＤタグ取り付け構造。
【請求項３】
キャップ表面に文字、図形などの表示が付されている請求項１または請求項２に記載の蓋体のＩＤタグ取り付け構造。
【発明の詳細な説明】
【０００１】
【発明の属する技術分野】
この発明は、マンホール蓋、消火栓蓋、空気弁蓋、仕切弁筐蓋、止水栓蓋などの蓋体のＩＤタグ取り付け構造に関する。
【０００２】
【従来の技術】
マンホール、消火栓、空気弁、仕切弁、止水栓などに管系情報や管理者等の情報、弁の場合は開度などの情報を入力したＩＤタグを上記の蓋体に取り付けることによって、ＲＦ−ＩＤ（Radio-Freqency-IDentification）技術を応用した管路や弁の各種情報管理システムが実現されつつある。
【０００３】
ところで、これらの情報はセキュリティ上、地方自治体などの管理者毎に管理される必要があり、そのためにマンホール蓋などに取り付けられるＩＤタグには個別のセキュリティーコードが用いられている。
【０００４】
【発明が解決しようとする課題】
ところで、このような蓋体を提供する場合、前記管理者毎にＩＤタグのセキュリティー設定や管理を事前に行なうのは困難かあるいは不可能な場合が多く、予め工場生産時にＩＤタグを取り付けることができない場合が多い。
一方、マンホール蓋などの蓋体を購入後、各管理者毎で独自にＩＤタグを取り付けるのは、マンホール蓋など金属製蓋体を加工しなければならないため、手間がかかる欠点があった。
【０００５】
この発明は上記問題点を解消しセキュリティーコードの異なるＩＤタグを容易に取り付ける事のできる蓋体のＩＤタグ取り付け構造を提供するものである。
【０００６】
【課題を解決するための手段】
請求項１の蓋体のＩＤタグ取り付け構造は、ＩＤタグとそのダミーチップとを交換可能に収納できる収納用陥凹部が裏面側に形成されたキャップを蓋体本体に固定可能とした蓋体のＩＤタグ取り付け構造であって、前記収納用陥凹部にダミーチップが収納されている状態では、前記キャップ及び前記ダミーチップは締結具により蓋体本体表面に固定され、前記収納用陥凹部にＩＤタグが収納されている状態では、前記キャップ及び前記ＩＤタグは、接着により蓋体本体表面に固定されてなるものである。
従って、この蓋体のＩＤタグ取り付け構造によれば、ダミーチップを収納したキャップの固定は締結具により行ない、ＩＤタグを収納したキャップの固定は接着により行なうため、ＩＤタグの装着未装着が締結具の有無を調べるだけで直ちに判別できる。
【０００７】
請求項２の蓋体のＩＤタグ取り付け構造は、上記締結具が、キャップ及びダミーチップにそれぞれ形成した貫通孔を挿通するものである。
【０００８】
請求項２の蓋体のＩＤタグ取付け構造によれば、ダミーチップを収納したキャップの固定はダミーチップ及びキャップにそれぞれ形成した貫通孔を挿通する締結具により、ＩＤタグを収納したキャップの固定は接着により行なうため、ＩＤタグの装着未装着が締結具の有無を調べるだけで直ちに判別できる。
請求項３の蓋体のＩＤタグ取り付け構造は、上記蓋体のＩＤタグ取り付け構造におけるキャップ表面に文字、図形などの表示が付されてなるものである。
【０００９】
この蓋体のＩＤタグ取り付け構造によれば、キャップ表面を見るだけで文字、図形などの表示からＩＤタグの管理者などが判別でき、誤認による誤操作の無駄が防止できる。
【００１０】
【発明の実施の形態】
次に、この発明の蓋体のＩＤタグ取り付け構造の実施の形態について説明する。
図１は、実施の形態の蓋体のＩＤタグ取り付け構造の要部平面図、図２は図１のＸ−Ｘ線矢視要部断面図である。
【００１１】
図１において、１は蓋体を示し、マンホール蓋、消火栓蓋、空気弁蓋、仕切弁筐蓋、止水栓蓋などの一部を示す。
２はキャップを示し、図２に示すようにＩＤタグ３を収納可能な収納用陥凹部４が裏面側に形成されている。
この収納用陥凹部４の大きさは、種々存在するＩＤタグの内最大寸法のものを受容できる大きさとしておくことが望ましい。
【００１２】
そして、キャップ２の前記収納用陥凹部４には、前記ＩＤタグ３と同大のダミーチップ５を収納して蓋体１の表面にビス、ネジ、ドリルネジなどの締結具６により固定されている。なお、この締結具６は頭部の形状を特殊形状とし専用工具以外では取外しができないようにされている。誤まったＩＤタグ３の装着防止のためである。
【００１３】
図中７はキャップ２及びダミーチップ５に設けられた貫通孔を示し、蓋体１に形成されたネジ孔１ａに締結される締結具６が貫通する。
また、蓋体１にはキャップ２が嵌合する陥凹部１ｂが形成されており、キャップ２を取り付けた際に、蓋体１の表面に突出しないようにされている。
また、図中１ｃは蓋体１表面に形成された滑り止めや装飾用のリブを示し、必ずしも必須のものではない。
【００１４】
図中１ｄは陥凹部１ｂを鋳出により成形した場合の突出部で、陥凹部１ｂを研削により成形する場合は設けられず、裏面は点線で示すように平面としても良い。
次に、上記実施の形態の作用を説明する。
生産出荷の段階では、図２に示すように蓋体１にはダミーチップ５を収納したキャップ２が締結具６により取り付けられている。
【００１５】
そして、必要なＩＤタグ３を取り付けるには、締結具６を取外し、ダミーチップ５を取り除いた後、図３に示すようにキャップ２の収納用陥凹部４にＩＤタグ３を収納し接着剤によりキャップ２、ＩＤタグ３を蓋体１に接着する。
従って、ＩＤタグ３が収納用陥凹部４よりもかなり小さい場合であっても、接着剤をパテ状充填材として使用することにより隙間なく確実に固定できる。
【００１６】
また、ＩＤタグ３が収納されたキャップ２には締結具６が無く、これによってＩＤタグ３が装着されているか否かが容易に判別可能となる。
なお、ＩＤタグ３が装着された場合と、ダミーチップ５が未だ装着されている場合とのいずれの場合も蓋体１表面にはキャップ２が陥凹部１ｂに嵌合されているので、突出部が形成されず、邪魔になることがない。
【００１７】
また、上記実施の形態において、ＩＤタグ３またはダミーチップ５を装着するキャップ２の表面に、図４に示すように文字、図形などの表示８（図示例は文字）を付すことができる。
具体的には水道事業体などの名称や紋章、シンボルマークなどの図形を平面的に表示したり凹凸図形や凹凸模様のように表示することができる。
【００１８】
このように名称や紋章等を付した場合、セキュリティーコードの異なる管理者が直ちに判別でき、誤認による無駄な作業が防止できる。また、頭部の形状を特殊形状とし専用工具以外では取外しができないような締結具６と併用することによって、誤まったＩＤタグ３の装着防止がより確実に可能となる。
なお、図４において、図１と同一符号で示す部材は同一部材を示すため詳細な説明は省略する。
【００１９】
以上、本発明の実施の形態について説明したが、本発明は上記した実施の形態に限定されるものではなく、例えばキャップの大きさを各種蓋体について統一した大きさとしておけば、各管理者毎にキャップの形状を変える必要が無くなり、一種の構造で対応可能となる。
さらに、キャップの大きさを統一し、その内部の収納用陥凹部の大きさを大小種々存在するＩＤタグの最大寸法のものを受容出来るようにしておけば、一種のキャップでマンホール蓋、消火栓蓋、空気弁蓋、仕切弁筐蓋、止水栓蓋などのすべての蓋体に適用可能となり汎用性が増す。
【００２０】
【発明の効果】
以上説明したように、この発明の蓋体のＩＤタグ取り付け構造によれば、セキュリティーコードの異なるＩＤタグが取り付けられる蓋体であっても、キャップ内のダミーチップを必要なＩＤタグに交換するだけで良く、管理者毎に特有のセキュリティーコードを有するＩＤタグを容易に取り付けることができる。
【００２１】
さらに、キャップに形成された収納用陥凹部には、ダミーチップが収納されているため、蓋体本体の表面に固定されたキャップの上面に荷重が加わった場合においても、キャップ上面が凹むおそれがない。
また、ダミーチップを装着したキャップの固定は締結具で、ＩＤタグの場合は接着剤で行なうようにすれば、ＩＤタグの装着、未装着かが締結具の有無を調べるだけで直ちに判別できるなどの効果も有する。
【００２２】
また、キャップ表面に管理者の表示を付したものを用いれば管理者の判別が容易となり、誤認による誤操作の無駄が防止でき、専用工具以外では取外しができない特殊形状の締結具との併用により、誤まったＩＤタグの装着もより確実に防止できるなどの効果を有する。
【図面の簡単な説明】
【図１】この発明の実施の形態の要部断面図である。
【図２】図１のＸ−Ｘ線矢視要部断面図である。
【図３】実施の形態の使用状態説明図である。
【図４】他の実施の形態の使用状態説明図である。
【符号の説明】
１    蓋体
１ａ  ネジ孔
２    キャップ
３    ＩＤタグ
４    収納用陥凹部
５    ダミーチップ
６    締結具
７    貫通孔
８    表示
【図１】
0004079560.tif 000002
【図２】
0004079560.tif 000003
【図３】
0004079560.tif 000004
【図４】
0004079560.tif 000005